(57)【特許請求の範囲】
【請求項１】
外周面上に製版済みマスタを巻装して回転駆動される多孔性円筒状の版胴を有する印刷部と、マスタを製版し前記製版済みマスタを前記版胴に巻装させる製版部と、前記版胴の外周面上より使用済みのマスタを剥離、廃棄する排版部と、印刷スタートキーと、製版スタートキーとを具備し、前記印刷スタートキーが押されたときには前記印刷部を作動させて印刷を行い、前記製版スタートキーが押されたときには前記排版部によって前記版胴の外周面上より前記使用済みのマスタを除去した後、前記製版部によって前記版胴の外周面上に新しい製版済みマスタを巻装させる孔版印刷装置において、
印刷を行う者以外にその印刷物の内容を知られたくない場合に機密保持モードを設定する機密保持キーと、前記機密保持キーが押されたときには前記製版スタートキーからの入力のみを有効とすると共に、前記機密保持モード時において前記製版スタートキー以外のキーが押された場合には前記機密保持モードを継続し、前記製版スタートキーが押されたときのみ前記機密保持モードを解除させる制御手段とを具備し、
前記版胴が孔版印刷装置本体に対して着脱自在であり、前記制御手段は前記機密保持キーが押されたときに前記版胴の前記孔版印刷装置本体からの離脱を禁止することを特徴とする孔版印刷装置。
【請求項２】
請求項１記載の孔版印刷装置において、
前記機密保持モードが解除されるまで前記機密保持モードが設定されたことを記憶する記憶手段を有することを特徴とする孔版印刷装置。
【請求項３】
請求項１または請求項２記載の孔版印刷装置において、
前記版胴の前記孔版印刷装置本体からの離脱の禁止は前記孔版印刷装置の電源オフ時にも継続されることを特徴とする孔版印刷装置。
【請求項４】
請求項１ないし請求項３のうちの何れか１つに記載の孔版印刷装置において、
前記制御手段は前記機密保持キーが押されたときに前記版胴を所定の位置まで回転させることを特徴とする孔版印刷装置。
【請求項５】
請求項１ないし請求項４のうちの何れか１つに記載の孔版印刷装置において、
前記機密保持モード時において印刷不可であることを表示する表示装置を有することを特徴とする孔版印刷装置。
【発明の詳細な説明】
【０００１】
【産業上の利用分野】
本発明は、製版されたマスタを版胴の外周面上に巻装して印刷を行う孔版印刷装置に関する。
【０００２】
【従来の技術】
従来より、簡便な印刷方法としてデジタル式感熱孔版印刷が知られている。これは、感熱孔版マスタ（以下、マスタという）に微細な発熱素子が１列に並んだサーマルヘッドを接触させ、この発熱素子に対しパルス的に通電を行いながらマスタをプラテンローラー等で搬送することで、マスタに画像情報に基づいた穿孔画像を熱溶融穿孔形成させた後、この穿孔されたマスタを版胴に巻装させ、プレスローラー等の押圧部材によって印刷用紙を版胴の外周面に押圧させることで版胴の開孔部及びマスタの穿孔部からインキを滲出させ、このインキを印刷用紙に転移させて印刷画像を得るものである。
【０００３】
このデジタル式感熱孔版印刷を行う孔版印刷装置では、印刷が終了して原稿を変更した後、次の印刷を行う際に、使用者が製版スタートキーを押すことにより排版手段が版胴から使用済みのマスタを剥離し、製版手段によって新しく製版されたマスタを版胴に自動的に巻装させるように構成されている。これは、印刷終了直後に版胴より使用済みのマスタを剥離すると、次の印刷に先立って新しい製版済みマスタが巻装されるまでは版胴の外周が大気に晒された状態で放置されることとなり、この放置状態が長時間に及ぶと良好な印刷が行われないことがあるため、使用済みのマスタを版胴の外周面に巻装させておくためである。
【０００４】
しかし、上述のように使用済みのマスタを版胴に巻装させたまま放置しておくと、印刷装置使用者が交代して製版スタートキーを押さずに印刷スタートキーまたは試し刷りキーを押した場合には、前使用者の原稿がそのまま印刷されてしまう。このことは、原稿の内容が他の使用者に知られては困る内容のものや複製されては困る内容のものであるとき、大きな問題となる。
この問題点を解決するため、原稿の機密漏洩を防止する機密保持モードを設け、このモード設定時においては、機密原稿を製版したマスタを廃棄すると共に新しい未製版のマスタを版胴に巻装させることにより、原稿の機密を保持する技術が特開昭５９−１９８１８５号公報に開示されている。
【０００５】
【発明が解決しようとする課題】
上記公報に開示された技術では、機密保持モード時において未製版のマスタを版胴に巻装させるため、マスタが無駄となってコストアップしてしまうという問題点がある。そこで、原稿をセットした状態でスタートキーを押すと排版動作に続いて製版動作、印刷動作を自動的に行い、原稿をセットしない状態でスタートキーを押すと印刷動作のみを行う孔版印刷装置において、機密保持キーからの入力がメモリーに入力されると、原稿がセットされていない状態では印刷動作を行わないように構成され、マスタを無駄にすることなく原稿の機密を保持する孔版印刷装置が特開昭６３−７４６７９号公報に開示されている。
【０００６】
ところで、最近の多くの孔版印刷装置には、印刷に先立って、印刷用紙に対する原稿画像の位置や原稿画像の濃度を確認するため、少数の印刷を行う試し刷り機能を割り付けられた試し刷りキーが設けられている。また、原稿画像の多様化により複数種類の色での印刷画像が要求され、これに対応するために色替えを容易に行うべく版胴を装置本体に対して着脱自在とした孔版印刷装置が主流となっている。これらの孔版印刷装置に特開昭５９−１９８１８５号公報及び特開昭６３−７４６７９号公報にそれぞれ開示された技術を適用し、機密保持モード状態で印刷動作を規制することにより原稿の機密保持を行おうとしても、試し刷りキーが押された場合には原稿の機密が保持されずにそのまま印刷されてしまい、また、装置本体より版胴を離脱させ、巻装されたマスタを版胴から剥離させることによりその内容を判読することができ、機密保持を行うことができないという問題点がある。
本発明は、上記問題点を解決し、原稿の機密保持を確実に行うことができる孔版印刷装置を提供するものである。
【０００７】
【課題を解決するための手段】
請求項１記載の発明は、外周面上に製版済みマスタを巻装して回転駆動される多孔性円筒状の版胴を有する印刷部と、マスタを製版し前記製版済みマスタを前記版胴に巻装させる製版部と、前記版胴の外周面上より使用済みのマスタを剥離、廃棄する排版部と、印刷スタートキーと、製版スタートキーとを具備し、前記印刷スタートキーが押されたときには前記印刷部を作動させて印刷を行い、前記製版スタートキーが押されたときには前記排版部によって前記版胴の外周面上より前記使用済みのマスタを除去した後、前記製版部によって前記版胴の外周面上に新しい製版済みマスタを巻装させる孔版印刷装置において、印刷を行う者以外にその印刷物の内容を知られたくない場合に機密保持モードを設定する機密保持キーと、前記機密保持キーが押されたときには前記製版スタートキーからの入力のみを有効とすると共に、前記機密保持モード時において前記製版スタートキー以外のキーが押された場合には前記機密保持モードを継続し、前記製版スタートキーが押されたときのみ前記機密保持モードを解除させる制御手段とを具備し、前記版胴が孔版印刷装置本体に対して着脱自在であり、前記制御手段は前記機密保持キーが押されたときに前記版胴の前記孔版印刷装置本体からの離脱を禁止することを特徴とする。
【０００８】
請求項２記載の発明は、請求項１記載の孔版印刷装置において、さらに前記機密保持モードが解除されるまで前記機密保持モードが設定されたことを記憶する記憶手段を有することを特徴とする。
請求項３記載の発明は、請求項１または請求項２記載の孔版印刷装置において、さらに前記版胴の前記孔版印刷装置本体からの離脱の禁止は前記孔版印刷装置の電源オフ時にも継続されることを特徴とする。
請求項４記載の発明は、請求項１ないし請求項３のうちの何れか１つに記載の孔版印刷装置において、さらに前記制御手段は前記機密保持キーが押されたときに前記版胴を所定の位置まで回転させることを特徴とする。
請求項５記載の発明は、請求項１ないし請求項４のうちの何れか１つに記載の孔版印刷装置において、さらに前記機密保持モード時において印刷不可であることを表示する表示装置を有することを特徴とする。
【０００９】
【作用】
請求項１記載の発明によれば、機密保持キーが押されると、制御手段は製版スタートキーからの入力のみを有効とすると共に、製版スタートキーが押されたときのみ機密保持モードを解除し、記憶手段は、機密保持キーが押されると、製版スタートキーが押されて機密保持モードが解除されるまで、機密保持モードが設定されたことを記憶する。
【００１０】
請求項２記載の発明によれば、機密保持キーが押されると、制御手段は版胴の装置本体からの離脱を禁止する。
【００１１】
【実施例】
図１は、本発明の一実施例を採用した孔版印刷装置を示している。同図において孔版印刷装置１は、印刷部２、製版部３、給紙部４、排版部５、排紙部６から主に構成されている。
【００１２】
印刷部２は、版胴７、インキ供給手段８、プレスローラー９から主に構成されている。
【００１３】
ステンレス薄板をエッチング加工したもの、あるいはニッケル電鋳された薄板により円筒状に形成された版胴７は、０．２５〜１．０ｍｍ程度の間隔で直径０．１５〜０．５ｍｍ程度の孔を、その外周面上に多数穿設されており、後述するモーター１２によって回転駆動される。また、版胴７の外周面上には、ポリエステルまたはステンレスの細線等で織られたメッシュ数＃１００〜４００程度の図示しないメッシュスクリーンが１〜３層程度巻装されている。さらに版胴７の外周面上には、版胴７の軸線と同方向に延在するステージ部１０と、ステージ部１０と共にマスタの先端を挟持するクランパー１１とが配設されている。クランパー１１は支軸１１ａに回動自在に支持され、ステージ部１０に対して接離自在に設けられている。
【００１４】
版胴７の内部には、インキ供給手段８が配設されている。インキ供給手段８は、インキ供給パイプ１３、インキローラー１４、ドクターローラー１５から主に構成されている。
【００１５】
版胴７の支持軸を兼ねたインキ供給パイプ１３は、一端を孔版印刷装置１の筐体側板に回転自在に支持されており、その表面には、版胴７の内部にインキを供給するための無数の小さな孔が穿設されている。インキ供給パイプ１３の下方には、インキローラー１４とドクターローラー１５とが配設されている。版胴７の側板に回転自在に支持されたインキローラー１４は、その外周面を版胴７の内周面と当接させており、インキ供給パイプ１３より供給されたインキを版胴７に供給する。インキローラー１４の近傍には、回転自在なドクターローラー１５が配設されている。ドクターローラー１５は、その外周面とインキローラー１４の外周面との間に僅かな間隙が生じるように配設されており、インキローラー１４との外周面の近接部において、楔状のインキ溜まり１６を形成している。インキ供給パイプ１３よりインキ溜まり１６へと供給されたインキは、インキローラー１４とドクターローラー１５との間隙を通過することにより均一な層状とされ、インキローラー１４の外周面に供給される。
【００１６】
図２に版胴７の駆動機構を示す。
版胴７の一方の側板７ａの外方には、インキ供給パイプ１３を中心としたギヤ１７が、側板７ａと僅かに隙間をもってインキ供給パイプ１３の図示しない段部に固着されている。インキ供給パイプ１３の図示しない先端部は、ギヤ１７を貫通して、孔版印刷装置１の図示しない筐体側板に支持されている。側板７ａには、版胴７の外周縁寄りに配置され、軸方向に延出するドグ２５とが固着されている。また、一方の側板７ａと他方の７ｂの外方には、版胴７を持ち運ぶための略コ字状を呈した図示しない取手が、版胴７を軸方向に跨ぐようにインキ供給パイプ１３に取り付けられている。他方の側板７ｂ側の図示しない取手の側板には、インキ供給パイプ１３へ供給するインキを補充するための図示しないインキ供給装置が設けられている。
【００１７】
ギヤ１７は、ギヤ部１７ａとフランジ部１７ｂとを有しており、ギヤ部１７ａが側板７ａ側に位置するように配設され、フランジ部１７ｂの一部が切り欠かれている。ギヤ１７の近傍には、ギヤ部１７ａと噛合するギヤ部１８ａとフランジ部１８ｂとを有し、孔版印刷装置１の筐体に回転自在に支持された支軸１８ｃに固着されたギヤ１８が配設されている。ギヤ１８は、フランジ部１８ｂが側板７ａ側に位置するように配設され、フランジ部１８ｂの一部がフランジ部１７ｂと同様に切り欠かれている。ギヤ１７とギヤ１８とは、互いの切り欠き部が一致した状態においてのみ係脱自在となっており、他の状態では噛み合った各ギヤ部１７ａ，１８ａが各フランジ部１７ｂ，１８ｂに挟まれて、係合状態を解除できないように構成されている。版胴７は、孔版印刷装置１の筐体に設けられた図示しないレール部材に、前述の図示しない取手を係合可能に構成されており、各フランジ部１７ｂ，１８ｂの切り欠き部が一致する図の状態において、図の白抜き矢印で示す方向に抜き出すことにより、孔版印刷装置１からの取り外しが可能となっている。
【００１８】
版胴７の回転に伴って移動するドグ２５の円軌道上には、ホームポジションセンサー２６と機密モード位置センサー２７とが配設されている。各センサー２６，２７は、孔版印刷装置１の筐体に取り付けられており、ドグ２５がその検知部を通過する際に、後述する制御手段２４へ向けて信号を出力する。ホームポジションセンサー２６は、フランジ部１７ｂの切り欠き部とフランジ部１８ｂの切り欠き部とが一致する位置においてドグ２５を検知するように配設されている。
【００１９】
支軸１８ｃの、筐体に回転自在に支持された位置とギヤ１８を固着した位置との間の位置には歯付プーリー１９が固着されており、この歯付プーリー１９は、孔版印刷装置１の筐体に取り付けられたモーター１２の出力軸端に固着された歯付プーリー２０と、タイミングベルト２１によって連結されている。モーター１２の出力軸にはエンコーダー２２が設けられており、モーター１２は、孔版印刷装置１の筐体に取り付けられたパルス検出センサー２３によってその回転角度を検出され、検出された角度信号は、図示しないパルスカウンター及び比較器を通過した後、後述する制御手段２４に入力される。
【００２０】
上述の構成により、モーター１２の回転力が、その出力軸、歯付プーリー２０、タイミングベルト２１、歯付プーリー１９、支軸１８ｃ、ギヤ１８、ギヤ１７と伝達されて、版胴７がインキ供給パイプ１３を中心に回転駆動される。
【００２１】
版胴７の下方には、図示しない揺動手段に支持され、その外周面を版胴７の外周面に対して接離自在に設けられた回転自在なプレスローラー９が配設されている。プレスローラー９は、後述する給紙部４より給送される印刷用紙を版胴７に押圧し、印刷用紙に印刷画像を形成させる。
【００２２】
印刷部２の上方及び右方には、製版部３が配設されている。製版部３は、マスタ貯容手段２８、製版手段２９、切断手段３０、搬送手段３１、原稿読取部３２等から主に構成されている。
【００２３】
マスタ貯容手段２８は、孔版印刷装置１の筐体に固着されたマスタ貯容部材３３等から主に構成されている。マスタ貯容部材３３は、マスタ３４をロール状に巻成したマスタロール３５の芯部３５ａを回転自在に支持している。
【００２４】
マスタ貯容手段２８の左方には、製版手段２９が配設されている。製版手段２９は、プラテンローラー３６、サーマルヘッド３７等から主に構成されている。プラテンローラー３６は、図示しない筐体の側板に回転自在に支持され、図示しないステッピングモーターによって回転駆動される。多数の発熱素子を有するサーマルヘッド３７は、図示しない筐体の側板に取り付けられており、図示しない付勢手段によって付勢され、プラテンローラー３６に圧接されている。
【００２５】
製版手段２９のマスタ搬送方向下流側には、筐体に取り付けられた固定刃３０ａと、この固定刃３０ａに対して回転移動する可動刃３０ｂとからなる切断手段３０が配設されている。切断手段３０のマスタ搬送方向下流側には、図示しない駆動手段で回転駆動される駆動ローラー３１ａ，３１ｃと、各駆動ローラー３１ａ，３１ｃと連れ回りする従動ローラー３１ｂ，３１ｄとから構成される搬送ローラー対等からなる搬送手段３１、及びマスタの搬送を補助するガイド板３８，３９等がそれぞれ配設されている。
【００２６】
印刷部２の上方であって筐体の上部には、原稿画像を読み取る原稿読取部３２が配設されている。原稿読取部３２は、ＡＤＦユニット４０、コンタクトガラス４１、蛍光灯４２、ミラー群４３、縮小レンズ４４、画像読取センサー４５等を有する周知の構成である。
【００２７】
製版部３の下方には、給紙部４が配設されている。給紙部４は、給紙トレイ４６、給紙ローラー４７、分離手段４８、レジストローラー対４９等から主に構成されている。
【００２８】
その上面に印刷用紙５０を積載される給紙トレイ４６は、印刷用紙５０の増減と連動して、筐体に上下動自在に支持されている。また、給紙トレイ４６には、サイドフェンス５１と、サイドフェンス５１の移動に伴って印刷用紙５０の幅を検知する印刷用紙幅検知センサー５２とが設けられている。給紙ローラー４７は、給紙トレイ４６上の最上位の印刷用紙５０と当接するように設けられており、図示しない駆動手段で回転駆動される。図示しない駆動手段で回転駆動される駆動ローラー４８ａと、駆動ローラー４８ａと当接するように筐体側板に固設された分離ローラー４８ｂとからなる分離手段４８は、駆動ローラー４８ａを給紙トレイ４６上の最上位の印刷用紙５０と当接させるように設けられており、給紙ローラー４７によって複数枚の印刷用紙が引き出された場合、その最上位の１枚のみを分離するように構成されている。レジストローラー対４９は、分離手段４８によって給送された印刷用紙５０を啣え込み、版胴７の回転及びプレスローラー９の揺動動作と同期して、版胴７の外周面とプレスローラー９との間に印刷用紙５０を給送する。
【００２９】
印刷部２の左方には、排版部５が配設されている。排版部５は、上部排版部材５３、下部排版部材５４、排版ボックス５５、圧縮板５６等から主に構成されている。
【００３０】
上部排版部材５３は、図示しない駆動手段で回転駆動される駆動ローラー５７と従動ローラー５８、及び各ローラー間に掛け渡されたゴムベルト５９から構成されている。下部排版部材５４は、駆動ローラー５７と図示しないギヤによって連結され回転駆動される駆動ローラー６０と従動ローラー６１、及び各ローラー間に掛け渡されたゴムベルト６２から構成されている。下部排版部材５４は、駆動ローラー５７の支軸を中心に、図示しない移動手段によって左右方向に移動自在に設けられており、駆動ローラー６０の外周面は、版胴７の外周面に対して接離自在となるように構成されている。内部に使用済みマスタを貯容する排版ボックス５５は、筐体に対して着脱自在に設けられており、その上方には、図示しない昇降手段によって図の実線位置と破線位置とを選択的に取り得る上下動自在な圧縮板５６が配設されている。
【００３１】
排版部５の下方には、排紙部６が配設されている。排紙部６は、剥離爪６３、従動ローラー６４、駆動ローラー６５、ゴムベルト６６、吸引ファン６７、排紙トレイ６８等から主に構成されている。
【００３２】
版胴７の外周面からインキを転移された印刷用紙５０を剥離させる剥離爪６３は、図示しない筐体側板に回動自在に支持され、その先端を版胴７の外周面に対して接離自在に配設されている。剥離爪６３は図示しない揺動手段によって揺動され、その揺動は、版胴７の外周面上に存在するクランパー１１等の障害物がその先端と干渉しないように、版胴７の回転と同期が取られている。従動ローラー６４と駆動ローラー６５とは、筐体側板に回転自在に支持されており、各ローラー間には、表面に複数の開孔を有するゴムベルト６６が掛け渡されている。駆動ローラー６５は図示しない駆動手段で回転駆動され、この回転力はゴムベルト６６を介して従動ローラー６４に伝達される。従動ローラー６４と駆動ローラー６５との間の下方には、ゴムベルト６６の表面に印刷画像を形成された印刷用紙５０を吸引するための吸引ファン６７が配設されている。駆動ローラー６５の印刷用紙搬送方向下流側には、印刷画像を形成された印刷用紙５０を積載する排紙トレイ６８が配設されている。排紙トレイ６８は、筐体に着脱自在に取り付けられている。
【００３３】
筐体内部には、孔版印刷装置１の動作を制御する制御手段２４が配設されている。制御手段２４については後述する。
【００３４】
図３は、孔版印刷装置１の操作パネルを示している。同図において、筐体の上部前面に設けられた操作パネル６９は、その上面に製版スタートキー７０、印刷スタートキー７１、試し刷りキー７２、ストップキー７３、テンキー７４、エンターキー７５、クリアキー７６、プログラムキー７７、拡大縮小キー７８、印刷速度設定キー７９、連写キー８０、７セグメントＬＥＤからなる表示装置８１、ＬＣＤからなる表示装置８２等の周知の構成の他、機密保持キー８３と機密保持モード状態を表示するＬＥＤからなる機密保持モード表示手段８４とを有している。操作パネル６９からの動作指令は制御手段２４に向けて出力され、制御手段２４からは各表示装置８１，８２と機密保持モード表示手段８４への表示指令が送られる。
【００３５】
図４は、制御手段２４の回路ブロック図を示している。同図において、制御手段２４はＣＰＵ８５、記憶手段としてのＲＡＭ８６、ＲＯＭ８７から構成されている。
【００３６】
ＣＰＵ８５には、画像読取部３２で読み取られ、その内部の原稿画像読取回路で処理された画像データと、パルス検出センサー２３で検出され、図示しないパルスカウンター及び比較器を通過したモーター１２の角度信号と、操作パネル６９からの出力信号と、ホームポジションセンサー２６からの出力信号と、機密モード位置センサー２７からの出力信号とが入力される。入力された各信号は、ＲＯＭ８７に記憶された動作プログラムに基づいて演算処理され、印刷部２、給紙部４及び排紙部６を制御する主駆動回路と、製版部３を制御する製版駆動回路と、排版部５を制御する排版駆動回路とにそれぞれ動作信号として出力される。
【００３７】
ＲＡＭ８６には、ＣＰＵ８５によってＲＯＭ８７より呼び出された動作プログラムが一時的に書き込まれる。書き込まれた動作プログラムは、操作パネル６９からの入力によって書き換えられる。また、ＲＡＭ８６には、オペレーターによって機密保持キー８３が押されたときにのみ、機密保持モードプログラムが書き込まれる。ＲＡＭ８６には図示しないバックアップメモリーが設けられており、書き込まれた機密保持モードプログラムのみは、孔版印刷装置１のメイン電源が切られても消去されないように構成されている。ＲＡＭ８６に書き込まれた機密保持モードプログラムは、操作パネル６９からの入力によって書き換えることはできず、製版スタートキー７０が押されたときのみ消去される。
【００３８】
ＲＯＭ８７には、孔版印刷装置１の各アクチュエーターを作動させる複数の動作プログラムが記憶されている。各動作プログラムのうち、オペレーターによって機密保持キー８３が押された機密保持モード時においては、製版スタートキー７０からの入力のみを有効とし、印刷スタートキー７１と試し刷りキー７２からの入力を無視する機密保持モードプログラムが記憶されており、ＣＰＵ８５からの動作信号は、製版駆動回路と排版駆動回路とにのみ出力される。
【００３９】
上記構成に基づき、孔版印刷装置１の動作を以下に説明する。
ＡＤＦユニット４０上の原稿載置部に複数枚の原稿がセットされ、オペレーターによって操作パネル６９上の各種キーによって製版条件が設定された後に製版スタートキー７０が押されると、原稿読取部３２において原稿画像が読み取られ、読み取られた画像は画像データ信号としてＣＰＵ８５に送られる。
【００４０】
画像読取部３２での画像読取動作と並行して、排版部５では、版胴７の外周面上から使用済みマスタを剥離する排版動作が行われる。
外周面上に使用済みマスタを巻装している版胴７は、ＣＰＵ８５からの動作信号によって作動するモーター１２に回転駆動され、図１において反時計回り方向に回転を開始する。そして版胴７が、その外周面上に巻装した使用済みマスタの後端が駆動ローラー６０と対応する所定の排版位置に到達したことを、パルス検出センサー２３からの信号に基づいてＣＰＵ８５が判断すると、ＣＰＵ８５からの指令により図示しない移動手段と駆動手段とが作動し、各駆動ローラー５７，６０を回転させると共に下部排版部材５４を版胴７側に移動させる。駆動ローラー６０の外周面が版胴７の外周面上の使用済みマスタと当接したとき、版胴７は反時計回り方向への回転を継続しており、駆動ローラー６０と当接してすくい上げられた使用済みマスタは、下部排版部材５４と上部排版部材５３とで挟持され、版胴７の外周面より剥離される。剥離された使用済みマスタは、下部排版部材５４と上部排版部材５３とで搬送されて排版ボックス５５内に廃棄された後、圧縮板５６によって圧縮される。
【００４１】
版胴７の外周面より使用済みマスタが全て剥離されると、版胴７はさらに回転を継続する。そして、版胴７が図１に示す所定の給版位置であるホームポジションに到達し、ドグ２５がホームポジションセンサー２６に検知されると、ホームポジションセンサー２６からＣＰＵ８５に信号が出力される。ＣＰＵ８５は、ホームポジションセンサー２６からの信号を受けてモーター１２に動作信号を送り、モーター１２の回転を停止させる。モーター１２の停止により、版胴７がホームポジションで停止すると、ＣＰＵ８５より図示しない開閉手段へ動作信号が送られ、クランパー１１が時計回り方向に回動し、版胴７が図１に示す給版待機状態となって排版動作が完了する。
【００４２】
排版動作が完了すると、これに続いて製版動作が行われる。版胴７が給版待機状態となると、ＣＰＵ８５からの動作信号によって図示しないステッピングモーターが作動してプラテンローラー３６と各駆動ローラー３１ａ，３１ｃが回転駆動され、マスタロール３５からマスタ３４が引き出される。そして、図示しないステッピングモーターのステップ数より、マスタ３４の画像形成領域がサーマルヘッド３７の発熱素子と対応する位置に達したことをＣＰＵ８５が判断すると、ＣＰＵ８５より動作信号が送られ、原稿読取部３２より送られた画像データ信号に基づいてサーマルヘッド３７の発熱素子が選択的に発熱し、マスタ３４上に穿孔製版画像が形成される。
【００４３】
穿孔製版画像を形成されたマスタ３４は、各ガイド板３８，３９にガイドされつつ搬送手段３１によってクランパー１１へと搬送される。図示しないステッピングモーターのステップ数より、マスタ３４の先端がクランパー１１とステージ部１０との間の所定位置まで到達したことをＣＰＵ８５が判断すると、図示しない開閉手段に動作信号が送られてクランパー１１が反時計回り方向に回動し、ステージ部１０とクランパー１１とでマスタ３４の先端を挟持する。その後、ＣＰＵ８５よりモーター１２に動作信号が送られ、版胴７がマスタ３４の搬送速度と同じ周速度で時計回り方向に回転駆動され、マスタ３４の版胴７への巻装動作が行われる。そして、図示しないステッピングモーターのステップ数より、１版分の製版が完了したことをＣＰＵ８５が判断すると、プラテンローラー３６と各駆動ローラー３１ａ，３１ｃの回転が停止すると共に、可動刃３０ｂが回転移動してマスタ３４が切断される。切断されたマスタ３４は版胴７の回転動作によって引き出され、版胴７が再びホームポジションに到達すると、ＣＰＵ８５からの指令によってモーター１２が停止して巻装動作が完了する。
【００４４】
巻装動作に引き続き、版付動作が行われる。
版胴７がホームポジションで停止すると、ＣＰＵ８５より動作信号が送られてモーター１２が作動し、版胴７が低速で回転駆動されると共に給紙ローラー４７、駆動ローラー４８ａ、駆動ローラー６５、吸引ファン６７がそれぞれ回転駆動される。給紙ローラー４７と駆動ローラー４８ａとの回転により、給紙トレイ４６上に積載された複数枚の印刷用紙のうち、最上位の１枚の印刷用紙５０のみが引き出され、レジストローラー対４９に啣え込まれる。版胴７に巻装されたマスタ３４の画像領域の、版胴７の回転方向における先端部が、プレスローラー９と対応する位置に到達したことを、パルス検出センサー２３からの信号に基づいてＣＰＵ８５が判断すると、ＣＰＵ８５より動作信号が送られてレジストローラー対４９が回転し、印刷用紙５０を版胴７とプレスローラー９との間に給送する。ＣＰＵ８５は、レジストローラー対４９への動作信号に続いてプレスローラー９を支持する図示しない揺動手段へ動作信号を送り、プレスローラー９を揺動させる。レジストローラー対４９より給送された印刷用紙５０は、プレスローラー９によって版胴７に巻装されたマスタ３４に押圧される。この押圧動作により、プレスローラー９と印刷用紙５０とマスタ３４と版胴７の外周面とが圧接し、インキローラー１４によって版胴７の内周面に供給されたインキは、版胴７の外周面の開孔部とメッシュスクリーンより滲出した後、版胴７の外周面とマスタ３４との空隙部に充填され、マスタ３４の穿孔部を介して印刷用紙５０に転移される。インキを転移された印刷用紙５０は、剥離爪６３の先端で版胴７の外周面より剥離されて下方へと落下し、吸引ファン６７の吸引力によってゴムベルト６６の上面に引き付けられつつ左方へと搬送され、排紙トレイ６８上に排出される。この一連の行程によって版付動作が完了し、孔版印刷装置１は印刷待機状態となる。
【００４５】
上述の、原稿読取、排版、製版、版付の各動作が完了して、印刷待機状態となった孔版印刷装置１において、オペレーターによって試し刷りキー７２が押されると、版付動作と同様に、給紙トレイ４６上の最上位の１枚の印刷用紙が給紙ローラー４７と分離手段４８とによって引き出され、レジストローラー対４９に啣え込まれると共に、ＣＰＵ８５より動作信号が送られてモーター１２が作動し、版胴７が高速で回転駆動される。レジストローラー対４９は、版付動作と同じタイミングで、高速回転している版胴７とプレスローラー９との間に印刷用紙を給送する。給送された印刷用紙は、プレスローラー９によって版胴７に巻装されたマスタ３４に押圧されてインキを転移され、その上面に印刷画像を形成された後、剥離爪６３によって版胴７の外周面より剥離され、ゴムベルト６６によって左方へと搬送されて、排紙トレイ６８上に排出される。版胴７は再びホームポジションに戻り、試し刷り動作が完了する。
【００４６】
この試し刷りによって印刷画像の濃度や位置を確認し、これらを操作パネル６９上の各種キーで調整して再度試し刷りを行った後、テンキー７４で印刷枚数を表示装置８１に置数し、印刷速度設定キー７９で印刷速度を設定し、所望する印刷物に合わせて拡大縮小キー７８や連写キー８０等を押して印刷スタートキー７１を押すことにより、給紙部４より印刷用紙が連続的に送られて印刷動作が行われる。印刷動作完了後にも、版胴７は再びホームポジションに戻る。
【００４７】
ここで、本発明の機密保持キー８３を使用した場合の孔版印刷装置１の動作を説明する。
【００４８】
オペレーターは、上述と同様に、製版、版付、試し刷り、印刷の各行程を経て印刷物を得る。そして、この印刷物の内容が機密を要する場合、印刷動作完了後に機密保持キー８３を押す。
【００４９】
機密保持キー８３が押されると、操作パネル６９よりＣＰＵ８５に信号が送られる。ＣＰＵ８５はＲＯＭ８７より機密保持モードプログラムを呼び出し、ＲＡＭ８６に機密保持モードプログラムを書き込むと共に、操作パネル６９に信号を送り、機密保持モード表示手段８４のＬＥＤを点灯させて機密保持モードであることを表示する。ＲＡＭ８６への機密保持モードプログラムの書き込み動作後、ＣＰＵ８５はモーター１２へ作動信号を送り、ホームポジションで停止している版胴７を、ドグ２５が機密モード位置センサー２７に検知されるまで（図２において距離Ｌだけ）回動させる。以後、オペレーターによって印刷スタートキー７１または試し刷りキー７２が押されると、操作パネル６９よりＣＰＵ８５に信号が送られるが、ＣＰＵ８５はＲＡＭ８６に機密保持モードプログラムが書き込まれていることを認識し、主駆動回路へ動作信号を出力しないため、孔版印刷装置１は印刷動作と試し刷り動作とを行わない。また、ＣＰＵ８５は、印刷スタートキー７１または試し刷りキー７２が押され、操作パネル６９からの信号が入力されると、操作パネル６９に信号を送り、表示装置８２に印刷不可のメッセージを表示させる。この機密保持モード状態は、製版スタートキー７０が押されるまで継続される。製版スタートキー７０が押されると、ＣＰＵ８５は、ＲＡＭ８６に書き込まれた機密保持モードプログラムを消去すると共に排版駆動回路と製版駆動回路とに動作信号を送り、孔版印刷装置１に、排版動作に続いて製版動作を実行させて孔版印刷装置１を印刷待機状態とさせる。
【００５０】
上述のように、本発明の機密保持モードでは、印刷動作と試し刷り動作とを禁止することに加え、版胴７をホームポジションから回動させることにより、フランジ部１７ｂの切り欠き部とフランジ部１８ｂの切り欠き部との位置を違え、孔版印刷装置１からの版胴７の離脱を禁止しているため、孔版印刷装置１より版胴７を外し、他の同種の孔版印刷装置によって印刷を行うことで機密が漏洩する事態や、版胴７より製版済みのマスタを剥離させ、マスタそのものを解読することで機密が漏洩する事態をも防止することができる。上述の孔版印刷装置１の動作のフローチャートを図５に示す。
【００５１】
図６及び図７は、本発明の機密保持モード時における、孔版印刷装置１からの版胴７の離脱禁止機構の他の実施例を示したものである。同図において、上記実施例と重複する部位については同じ符号を付し、個々の詳細な説明は省略する。
【００５２】
同図において、版胴７の外方近傍には、取手８８が設けられている。取手８８は、版胴７の各側板７ａ，７ｂの外方に設けられ、インキ供給パイプ１３を回転自在に支持する側板８８ｂ，８８ｃと、各側板８８ｂ，８８ｃを連絡する本体８８ａとから構成され、略コ字状を呈している。
【００５３】
本体８８ａは、その側板８８ｂ側の端部にコロ８８ｄを、また、コロ８８ｄの近傍に係合孔８８ｅを有しており、コロ８８ｄを、孔版印刷装置１の筐体側板１ａに取り付けられたレール部材８９に係合させることで、孔版印刷装置１に対して着脱自在となっている。係合孔８８ｅには後述する係合ピン９５が係合し、その係合状態において、版胴７の孔版印刷装置１からの離脱を禁止する。
【００５４】
側板８８ｂには、インキ供給パイプ１３の先端部１３ａが貫通しており、この先端部１３ａは、筐体側板１ａに設けられた軸受９０に回転自在に支持され、先端部１３ａと軸受９０とは係脱自在に構成されている。側板８８ｃの外側には、インキ供給パイプ１３にインキを供給するインキ供給装置９１が取り付けられている。
【００５５】
孔版印刷装置１の筐体内部には、版胴７の離脱禁止機構９２が配設されている。離脱禁止機構９２は、ソレノイド９３、アーム９４、係合ピン９５等から主に構成されている。
【００５６】
ソレノイド９３は筐体側板に固定されており、その動作は制御手段２４によって制御される。略Ｌ字状を呈しているアーム９４は、その曲折部をピン９６で揺動自在に支持されており、一方の端部９４ａには溝部を、他方の端部９４ｂには孔を形成され、曲折部と端部９４ｂとの中間部位には長孔を形成されている。アーム９４は、端部９４ａの溝部をピン９７でソレノイド９３のプランジャ９３ａに揺動自在に取り付けられており、端部９４ｂの孔には引張コイルバネ９８の一端が取り付けられている。引張コイルバネ９８の他端はレール部材８９に固着されており、アーム９４はソレノイド９３の作動していない状態においては、引張コイルバネ９８の付勢力によって下方に付勢される。また、曲折部と端部９４ｂとの中間部位に形成された長孔には、係合ピン９５の一端が、ピン９９によって取り付けられている。係合ピン９５の他端は、レール部材８９の上面に配設されたガイド部材１００によってガイドされており、係合ピン９５の他端はレール部材８９の上面に穿設された孔を通り、レール部材８９の内部に進退自在となっている。この係合ピン９５は、版胴７が、その取手８８をレール部材８９の所定位置までセットすることで孔版印刷装置１に装着されたときに、本体８８ａに設けられた係合孔８８ｅに対して係合可能な位置に設けられている。
【００５７】
上述の構成により、版胴７を孔版印刷装置１に装着してソレノイド９３への通電が断たれた場合には、アーム９４が引張コイルバネ９８の付勢力によってピン９６を中心に下方に回動し、この回動に伴って係合ピン９５が下方に移動して係合孔８８ｅと係合する図７に二点鎖線で示す位置を占める。この状態では、係合ピン９５と係合孔８８ｅとが係合しているため、版胴７を孔版印刷装置１より引き出すことができない。
【００５８】
上述の構成に基づく孔版印刷装置１の動作を以下に説明する。
機密保持キー８３が押されると、操作パネル６９よりＣＰＵ８５に信号が送られる。ＣＰＵ８５はＲＯＭ８７より機密保持モードプログラムを呼び出し、ＲＡＭ８６に機密保持モードプログラムを書き込むと共に、操作パネル６９に信号を送り、機密保持モード表示手段８４のＬＥＤを点灯させて機密保持モードであることを表示する。ＲＡＭ８６への機密保持モードプログラムの書き込み動作後、ＣＰＵ８５はソレノイド９３へ送られていた作動信号を断つ。ＣＰＵ８５からの動作信号が断たれると、図７の実線位置を占めていたアーム９４とプランジャ９３ａとが引張コイルバネ９８の付勢力によって図の二点鎖線の位置に移動し、アーム９４の回動によって係合ピン９５が図の二点鎖線の位置に移動して係合孔８８ｅと係合する。つまり、機密保持モードが設定されると、版胴７を孔版印刷装置１より引き出すことができなくなるのである。以後、オペレーターによって製版スタートキー７０が押されると、ＣＰＵ８５は、ＲＡＭ８６に書き込まれた機密保持モードプログラムを消去し、排版駆動回路と製版駆動回路とに動作信号を送ると共にソレノイド９３への通電を再開する。ソレノイド９３は、通電によってプランジャ９３ａを図の実線位置へと磁着し、引張コイルバネ９８の付勢力に抗してアーム９４を実線位置に引き上げ、係合ピン９５を上方に移動させて係合孔８８ｅより離脱させる。これにより、版胴７の孔版印刷装置１からの引き出しが可能となる。孔版印刷装置１は、排版動作に続いて製版動作を行い、印刷待機状態となる。
【００５９】
尚、上述の機構では、孔版印刷装置１の電源をオフにするとソレノイド９３への通電が断たれ、係合ピン９５が引張コイルバネ９８の付勢力によって係合孔８８ｅと係合するために版胴７を孔版印刷装置１より引き出すことができず、孔版印刷装置１の電源オフ時における機密保持をも確実に行うことができる。
【００６０】
上記各実施例では、製版スタートキー７０と印刷スタートキー７１とを別々のキーとしたが、これらを１つのキーで賄い、製版スタートと印刷スタートとを切り替えるモード設定キーを別に設けた構成としてもよい。
【００６１】
【発明の効果】
請求項１記載の発明によれば、機密保持キーが押されると、制御手段は製版スタートキーからの入力のみを有効とすると共に、製版スタートキーが押されたときのみ機密保持モードを解除し、記憶手段は、機密保持キーが押されると、製版スタートキーが押されて機密保持モードが解除されるまで、機密保持モードが設定されたことを記憶するので、機密保持モード時において印刷スタートキーまたは試し刷りキーが押されても印刷動作または試し刷り動作は行われず、印刷物の機密を保持することができ、また、この機密保持モードを解除する手段が、製版スタートキーの押下のみであるため、機密内容を製版されたマスタが排版手段によって版胴より剥離、廃棄されないと機密保持モードが解除されないので、製版されたマスタから機密が漏洩することも防止できる。さらに、機密保持モードを記憶する記憶手段が、機密保持モードが解除されるまで機密保持モードを記憶しているので、機密保持モード時において、孔版印刷装置の電源が落とされても機密保持モードが解除されることがなく、機密保持性が高い。
【００６２】
請求項２記載の発明によれば、機密保持キーが押されると、制御手段は版胴の装置本体からの離脱を禁止するので、孔版印刷装置より版胴を外し、他の同種の孔版印刷装置によって印刷を行うことで機密が漏洩する事態や、版胴より製版済みのマスタを剥離させ、マスタそのものを解読することで機密が漏洩する事態をも防止することができる。
【図面の簡単な説明】
【図１】本発明の一実施例を採用した孔版印刷装置要部の概略正面図である。
【図２】本発明の一実施例に用いられる版胴の離脱防止機構を示す斜視図である。
【図３】本発明の一実施例に用いられる操作パネルを示す図である。
【図４】本発明の一実施例に用いられる制御手段のブロック図である。
【図５】本発明の一実施例における孔版印刷装置の動作を説明するフローチャートである。
【図６】本発明の他の実施例に用いられる版胴の離脱機構を示す斜視図である。
【図７】本発明の他の実施例に用いられる版胴の離脱機構を示す側面図である。
【符号の説明】
１  孔版印刷装置
２  印刷部
３  製版部
５  排版部
７  版胴
２４  制御手段
３４  マスタ
７０  製版スタートキー
７１  印刷スタートキー
８２  表示装置（ＬＣＤからなる表示装置）
８３  機密保持キー
８６  記憶手段（ＲＡＭ）
【図１】
0003566367.tif 000002
【図２】
0003566367.tif 000003
【図３】
0003566367.tif 000004
【図４】
0003566367.tif 000005
【図５】
0003566367.tif 000006
【図６】
0003566367.tif 000007
【図７】
0003566367.tif 000008